(57)【特許請求の範囲】
【請求項１】
ランド部（１２ａ）とこれに導通するリードパターン本体（１２ｂ）からなるリードパターン（１２）が可撓性の絶縁フィルムベース（１１）の幅方向に各々所定間隔おいて複数本配列されてなるフレキシブル配線基板の前記フィルムベース（１１）の先端面側には前側ランド部（１２ａ１）が、その後方側には後側ランド部（１２ａ２）が、フィルムベース（１１）表面側の当該フィルムベース（１１）幅方向に各々複数個配列され、前側ランド部（１２ａ１）は、その後端側からフィルムベース（１１）裏面側に導出され、その裏面側にてリードパターン本体（１２ｂ）に導通してフィルムベース（１１）後端面側に延出形成され、後側ランド部（１２ａ２）は、フィルムベース（１１）表面側にてリードパターン本体（１２ｂ）に導通してフィルムベース（１１）後端面側に延出形成されてなるフレキシブル配線基板（１）を、
第１コネクタと第２コネクタの相互間の接続導体として使用してなるコネクタ相互接続構造であって、
フレキシブル配線基板（１）の先端面側に接続する第１コネクタ（２１１）は、前記前側ランド部（１２ａ１）に接触する第１コンタクト（２２）と、前記前側ランド部（１２ａ１）の後方側に配列される後側ランド部（１２ａ２）に接触する第２コンタクト（４２）を備え、
前記フレキシブル配線基板（１）の後端面側に接続する第２コネクタ（２２１）のコンタクト（１３１）が、フィルムベース（１１）裏面側に対向する場合には、該コンタクト（１３１）を、フィルムベース（１１）裏面側で後端面側に延出形成されるリードパターン本体（１２ｂ）に接触させて、第１コネクタ（２１１）の第１コンタクト（２２）に接続させ、
前記第２コネクタ（２２２）のコンタクト（１３２）が、フィルムベース（１１）表面側に対向する場合には、該コンタクト（１３２）を、フィルムベース（１１）表面側で後端面側に延出形成されるリードパターン本体（１２ｂ）に接触させて、第１コネクタ（２１１）の第２コンタクト（４２）に接続させることを特徴とするコネクタ相互接続構造。
【請求項２】
ランド部（１２ａ）とこれに導通するリードパターン本体（１２ｂ）からなるリードパターン（１２）が可撓性の絶縁フィルムベース（１１）の幅方向に各々所定間隔おいて複数本配列されてなるフレキシブル配線基板の前記フィルムベース（１１）の先端面側には前側ランド部（１２ａ１）が、その後方側には後側ランド部（１２ａ２）が、フィルムベース（１１）表面側の当該フィルムベース（１１）幅方向に各々複数個配列され、前側ランド部（１２ａ１）は、その後端側からフィルムベース（１１）裏面側に導出され、その裏面側にてリードパターン本体（１２ｂ）に導通してフィルムベース（１１）後端面側に延出形成され、後側ランド部（１２ａ２）は、フィルムベース（１１）表面側にてリードパターン本体（１２ｂ）に導通してフィルムベース（１１）後端面側に延出形成されてなるフレキシブル配線基板（１）を、
第３コネクタと第４コネクタの相互間の接続導体として使用してなるコネクタ相互接続構造であって、
フレキシブル配線基板（１）の先端面側に接続する第３コネクタ（２１２）は、第３コネクタ（２１２）のコンタクト（４２）が、フレキシブル配線基板（１）の先端面側に配列される前記前側ランド部（１２ａ１）に接触する第１挿入位置と、前記前側ランド部（１２ａ１）の後方側に配列される後側ランド部（１２ａ２）に接触する第２挿入位置のいずれかで、フレキシブル配線基板（１）の先端面側を位置決め自在であり、
前記フレキシブル配線基板（１）の後端面側に接続する第４コネクタ（２２１）のコンタクト（１３１）が、フィルムベース（１１）裏面側に対向する場合には、該コンタクト（１３１）を、フィルムベース（１１）裏面側で後端面側に延出形成されるリードパターン本体（１２ｂ）に接触させて、フレキシブル配線基板（１）の先端面側を第１挿入位置で位置決めした第３コネクタ（２１２）のコンタクト（４２）に接続させ、
前記第４コネクタ（２２２）のコンタクト（１３２）が、フィルムベース（１１）表面側に対向する場合には、該コンタクト（１３２）を、フィルムベース（１１）表面側で後端面側に延出形成されるリードパターン本体（１２ｂ）に接触させて、フレキシブル配線基板（１）の先端面側を第２挿入位置で位置決めした第３コネクタ（２１２）のコンタクト（４２）に接続させることを特徴とするコネクタ相互接続構造。
【発明の詳細な説明】
【０００１】
【発明の属する技術分野】
本発明は、一対のコネクタ相互の電気接続に使用されるもので、リードパターン間の挟ピッチ化が要求されるフレキシブル配線基板を用いたコネクタ相互接続構造に関するものである。
【０００２】
【従来の技術】
電気機器内において、プリント配線基板に実装された多極のコネクタ相互を電気接続し、プリント配線基板の複数の回路パターンを個々に電気接続する際には、細長帯状で可撓性のあるフレキシブル配線基板（以下、ＦＰＣという）が用いられている。
【０００３】
従来のこの種のＦＰＣ１００は、図１０に示すように、ＰＥＴ（ポリエチレンテレフタラート）等の可撓性の絶縁フィルムベース１０１面に複数本のリードパターン１０２が印刷されてなる。複数本のリードパターン１０２は、上記フィルムベース１０１の幅方向に各々所定間隔おいて配列され、また各々が上記フィルムベース１０１の長手方向に沿って延出形成されている。
【０００４】
リードパターン１０２は、ランド部１０２ａ及びリードパターン本体１０２ｂからなる。このリードパターン１０２上には、ランド部１０２ａを除きレジスト（図示省略）が積層され、また、隣り合うリードパターン１０２は、上記のようにフィルムベース１０１上に所定間隔おいて配列されることにより、相互に絶縁されている。
【０００５】
このＦＰＣ１００は、ＦＰＣ接続用コネクタ（以下、ＦＰＣコネクタという）に差込み装着され、そのＦＰＣコネクタを介してプリント配線基板の回路パターン（図示せず）等に電気接続される。
【０００６】
上記ＦＰＣコネクタ１０２は、図１１に示すように、プリント配線基板３上に実装される絶縁ハウジング１２１と、この絶縁ハウジング１２１内に位置決め固定されたコンタクト１２２と、上記絶縁ハウジング１２１に対して着脱自在に取り付けられる絶縁カバー１２３とを備えてなる。
【０００７】
絶縁ハウジング１２１内のコンタクト１２２は、導電性金属板を打ち抜いて形成されたもので、ＦＰＣ１００に形成されたランド部１０２ａに接触する雌接触部１２２ａと、プリント配線基板３を貫通して、又は貫通せずに同基板３面の回路パターン（図示省略）と半田付けによって接続される脚部１２２ｂとを一体的に有している。コンタクト１２２は、ＦＰＣ１００のリードパターン１０２のピッチに合わせて、複数のコンタクト１２２が絶縁ハウジング１２１内に取り付けられるもので、細幅のリードパターン１０２に対応させるため、打ち抜いた導電性金属板を曲げ加工せずそのまま残し、打ち抜き方向と直交する方向に弾性変形するように絶縁ハウジング１２１内に支持されている。従って、雌接触部１２２ａの切断面が、ＦＰＣ１００のランド部１０２ａに弾性接触する。
【０００８】
このように構成されたＦＰＣコネクタ１０２は、絶縁ハウジング１２１のＦＰＣ挿入口１２１ａにＦＰＣ１００を先端面側から挿入し、その挿入状態で絶縁カバー１２３を絶縁ハウジング１２１内に装着する。このＦＰＣ挿入の際には、絶縁ハウジング１２１内の天井面とコンタクト１２２の雌接触部１２２ａとの間にＦＰＣ１００を挿通させるのに充分な間隙があり、ＦＰＣ１００は上記雌接触部１２２ａから接触圧を受けずに挿入することができる。
【０００９】
ＦＰＣ挿入後に、絶縁カバー１２３を絶縁ハウジング１２１内に装着すると、ＦＰＣ１００の背面が絶縁カバー１２３により押圧され、雌接触部１２２ａが、図１１中破線で示すようにＦＰＣ１００から一旦離れる方向に弾性変形した後、ＦＰＣ１００に弾性接触することにより、この雌接触部１２２ａ（コンタクト１２２）を介してＦＰＣ１００の各ランド部１０２ａとプリント配線基板３の回路パターンとの電気的な接続が行われる。
【００１０】
ところで、１枚のＦＰＣ１００に印刷されるリードパターン１０２は、２０極（２０本配列）あるいは３０極（３０本配列）等と多極構成になるが、多極構成になると、それと同数のコンタクト１２２を備えるコネクタ１０２の幅方向寸法は増大する。一方、各コンタクト１２２は、上述のように打ち抜き方向に直交する方向に弾性変形する構造であるため、絶縁カバー１２３を装着して多数のコンタクト１２２を同時にＦＰＣ１００の方向へ押圧すると、絶縁ハウジング１２１が大きな反力を受ける。そのため、コネクタ１０２の幅方向の寸法が増大すると、絶縁ハウジング１２１の中央が盛り上がり、中央部でのコンタクト１２２による充分な接触圧が得られない。
【００１１】
また、コネクタ１０２の幅方向の寸法が増大すると、絶縁ハウジング１２１の成形後の幅方向の反りやばらつきが生じ、各リードパターン１０２に対して均一の接触圧を与えにくくなり、接触不良が生じ易くなる。
【００１２】
更に、コネクタ１０２が大型化するので、プリント配線基板３の実装面積も大きくなる。
【００１３】
そのため、図１０に示す従来のＦＰＣ１００にあっては、リードパターン配列を極力狭ピッチ化することが望まれていた。
【００１４】
しかしリードパターン１０２を単に平行に配列した図１０に示す従来のＦＰＣ１００にあっては、０．５ｍｍピッチが限界であり、更に挟ピッチ化するために、図１２に示すようなＦＰＣ１１０が出現している。
【００１５】
これは、フィルムベース１１１上に形成されるリードパターン１１２のランド部１１２ａを、千鳥状に２列にずらして配置したＦＰＣ１１０で、このように配列することによって、リードパターン間のピッチを実質０．３ｍｍピッチまで狭めることが可能となった。
【００１６】
【発明が解決しようとする課題】
しかしながら、図１２に示すようなＦＰＣ１１０にあっても、前列側のランド部１１２ａ１から延出されるリードパターン本体１１２ｂを、後列側のランド部１１２ａ２の間にそれらと絶縁して通す必要があるので、０．３ｍｍピッチ未満のピッチとすることはできなかった。このため、ＦＰＣを挟ピッチ化するには限界が生じ、上述の問題点を充分解消することができなかった。
【００１７】
また、従来のＦＰＣ１００、１１０のいずれもが、図１０及び図１２に示すように、そのリードパターン１０２、１１２（ランド部１０２ａ、１１２ｂ）は、ＦＰＣ１００、１１０の片面側にのみ形成されている。このため、一対のコネクタ相互間の接続導体として上述従来のＦＰＣ１００（１１０）を使用する場合には、リードパターン１０２が表面側にあるＦＰＣ１００（図１３参照）か、裏面側にあるＦＰＣ１００（図１４参照）かに応じて、それらに合った向き、形状のコンタクト１２２を備えた２種類のＦＰＣコネクタ２０１、２０２（図１３、図１４参照）を用意する必要があった。なお、図１３、図１４中のコネクタ２０１、２０２は概略を示しているもので、絶縁カバー１２３は図示省略されている。
【００１８】
【００１９】
本発明は、一対のコネクタ相互間の接続導体としてＦＰＣを使用する場合に１種類のＦＰＣコネクタを用意するだけで接続できるコネクタ相互接続構造を提供することを目的とする。
【００２０】
【課題を解決するための手段】
上記目的を達成するため、請求項１のコネクタ相互接続構造は、ランド部とこれに導通するリードパターン本体からなるリードパターンが可撓性の絶縁フィルムベースの幅方向に各々所定間隔おいて複数本配列されてなるフレキシブル配線基板の前記フィルムベースの先端面側には前側ランド部が、その後方側には後側ランド部が、フィルムベース表面側の当該フィルムベース幅方向に各々複数個配列され、前側ランド部は、その後端側からフィルムベース裏面側に導出され、その裏面側にてリードパターン本体に導通してフィルムベース後端面側に延出形成され、後側ランド部は、フィルムベース表面側にてリードパターン本体に導通してフィルムベース後端面側に延出形成されてなるフレキシブル配線基板を、第１コネクタと第２コネクタの相互間の接続導体として使用してなるコネクタ相互接続構造であって、
フレキシブル配線基板の先端面側に接続する第１コネクタは、前記前側ランド部に接触する第１コンタクトと、前記前側ランド部の後方側に配列される後側ランド部に接触する第２コンタクトを備え、前記フレキシブル配線基板の後端面側に接続する第２コネクタのコンタクトが、フィルムベース裏面側に対向する場合には、該コンタクトを、フィルムベース裏面側で後端面側に延出形成されるリードパターン本体に接触させて、第１コネクタの第１コンタクトに接続させ、前記第２コネクタのコンタクトが、フィルムベース表面側に対向する場合には、該コンタクトを、フィルムベース表面側で後端面側に延出形成されるリードパターン本体に接触させて、第１コネクタの第２コンタクトに接続させることを特徴とする。
【００２１】
フレキシブル配線基板は、全てのリードパターンの前側ランド部と後側ランド部が、先端面側の表面側に形成され、これら前側ランド部と後側ランド部に導通するリードパターン本体はフレキシブル配線基板の後端面側において表裏いずれの面にも延出してきているので、フレキシブル配線基板の先端面側に接続される第１コネクタが同一構成であっても、前側ランド部に連続するリードパターン本体か、後側ランド部に連続するリードパターン本体のいずれかにより、フレキシブル配線基板の後端面側に装着される第２コネクタとの接続を可能とするものであり、１種類の第１コネクタで、他方側の第２コネクタが、表裏いずれに接続していても、相互接続が可能となる。
【００２２】
請求項２のコネクタ相互接続構造は、ランド部とこれに導通するリードパターン本体からなるリードパターンが可撓性の絶縁フィルムベースの幅方向に各々所定間隔おいて複数本配列されてなるフレキシブル配線基板の前記フィルムベースの先端面側には前側ランド部が、その後方側には後側ランド部が、フィルムベース表面側の当該フィルムベース幅方向に各々複数個配列され、前側ランド部は、その後端側からフィルムベース裏面側に導出され、その裏面側にてリードパターン本体に導通してフィルムベース後端面側に延出形成され、後側ランド部は、フィルムベース表面側にてリードパターン本体に導通してフィルムベース後端面側に延出形成されてなるフレキシブル配線基板を、第３コネクタと第４コネクタの相互間の接続導体として使用してなるコネクタ相互接続構造であって、
フレキシブル配線基板の先端面側に接続する第３コネクタは、第３コネクタのコンタクトが、フレキシブル配線基板の先端面側に配列される前記前側ランド部に接触する第１挿入位置と、前記前側ランド部の後方側に配列される後側ランド部に接触する第２挿入位置のいずれかで、フレキシブル配線基板の先端面側を位置決め自在であり、前記フレキシブル配線基板の後端面側に接続する第４コネクタのコンタクトが、フィルムベース裏面側に対向する場合には、該コンタクトを、フィルムベース裏面側で後端面側に延出形成されるリードパターン本体に接触させて、フレキシブル配線基板の先端面側を第１挿入位置で位置決めした第３コネクタのコンタクトに接続させ、前記第４コネクタのコンタクトが、フィルムベース表面側に対向する場合には、該コンタクトを、フィルムベース表面側で後端面側に延出形成されるリードパターン本体に接触させて、フレキシブル配線基板の先端面側を第２挿入位置で位置決めした第３コネクタのコンタクトに接続させることを特徴とする。
【００２３】
フレキシブル配線基板は、全てのリードパターンの前側ランド部と後側ランド部が、先端面側の表面側に形成され、これら前側ランド部と後側ランド部に導通するリードパターン本体はフレキシブル配線基板の後端面側において表裏いずれの面にも延出してきているので、フレキシブル配線基板の先端面側に接続される第１コネクタが同一構成であっても、前側ランド部に連続するリードパターン本体か、後側ランド部に連続するリードパターン本体のいずれかにより、フレキシブル配線基板の後端面側に装着される第２コネクタとの接続を可能とするものであり、１種類の第３コネクタで、他方側の第４コネクタが、表裏いずれに接続していても、相互接続が可能となる。
【００２４】
【発明の実施の形態】
以下、図面を参照して本発明の実施形態を説明する。
【００２５】
図１は本発明によるフレキシブル配線基板（ＦＰＣ）の一実施形態を一部省略して示す平面図、図２は図１中のＡ−Ａ線断面拡大図である。
【００２６】
この図１、図２において、１１はＰＥＴ（ポリエチレンテレフタレート）等の可撓性の絶縁フィルムベースであり、このフィルムベース１１面に複数本のリードパターン１２が印刷されている。この複数本のリードパターン１２は、上記フィルムベース１１の幅方向に各々所定間隔おいて配列され、また各々が上記フィルムベース１１の長手方向に沿って後方（図１において上方）に延出形成されている。
【００２７】
リードパターン１２は、ランド部１２ａ（１２ａ１、１２ａ２）及びリードパターン本体１２ｂからなる。このリードパターン１２上には、ランド部１２ａを除きレジスト（図示省略）が積層され、また、隣り合うリードパターン１２は、上記のようにフィルムベース１１上に所定間隔おいて配列されることにより、相互に絶縁されている。
【００２８】
本実施の形態に係るＦＰＣ１のリードパターン１２においては、フィルムベース１１の先端面側には前側ランド部１２ａ１が、その後方側には後側ランド部１２ａ２が、フィルムベース１１表面側の当該フィルムベース１１幅方向に各々複数個配列されている。
【００２９】
前側ランド部１２ａ１は、各々その後端部に形成されたスルーホール１２ｃを介してフィルムベース１１裏面側に導出され、その裏面側にてリードパターン本体１２ｂに導通してフィルムベース１１後端面側に延出形成されている。また後側ランド部１２ａ２は、各々フィルムベース１１表面側にてリードパターン本体１２ｂに導通してフィルムベース１１後端面側に延出形成されている。
【００３０】
その結果、前側ランド部１２ａ１に導通するリードパターン本体１２ｂと、後側ランド部１２ａ２及びこれに導通するリードパターン本体１２ｂとは、フィルムベース１１（厚み方向）の表裏に配設され、相互に絶縁されることになる。
【００３１】
このため本発明のＦＰＣでは、前側ランド部１２ａ１側のリードパターン１２と後側ランド部１２ａ２側のリードパターン１２とは、互いに他側のリードパターン１２の配列に拘束されず、フィルムベース１１上に自由にそのピッチを狭めて配列させることができる。従って、図１０に示す従来ＦＰＣとの比較で、幅方向の単位長さ当たり実質２倍のリードパターン数が得られ、同一リードパターン数であれば１／２程度の幅寸法ですむことになる。
【００３２】
上述本発明ＦＰＣ１は、ＦＰＣコネクタ２（ＦＰＣ接続用コネクタ）に差込み装着され、そのＦＰＣコネクタを介してプリント配線基板の回路パターン（図示せず）等に電気的に接続される。
【００３３】
上記ＦＰＣコネクタ２は、図３に示すように、プリント配線基板３上に実装される絶縁ハウジング２１と、この絶縁ハウジング２１内に対称形に位置決め固定されたコンタクト２２、４２と、上記絶縁ハウジング２１に対して着脱自在に取り付けられる絶縁カバー２３とを備えてなる。
【００３４】
上記絶縁ハウジング２１内のコンタクト２２、４２は、各々導電性金属板を打ち抜いて形成されたもので、ＦＰＣ１に形成されたランド部１２ａ１、１２ａ２に接触する雌接触部２２ａ、４２ａと、プリント配線基板３を貫通して、又は貫通せずに同基板３面の回路パターン（図示省略）と半田付けによって接続される脚部２２ｂ、４２ｂとを一体に有している。
【００３５】
上記雌接触部２２ａ、４２ａは、打ち抜き方向と直交する方向に弾性変形するように絶縁ハウジング２１内に固定され、各々その切断面が、弾性変形によって絶縁ハウジング２１内に挿入されたＦＰＣ１に対して接離するようになっている。
【００３６】
このように構成されたＦＰＣコネクタ２は、絶縁ハウジング２１のＦＰＣ挿入口２１ａにＦＰＣ１を先端面側から挿入し、その挿入状態で絶縁カバー２３を絶縁ハウジング２１内に装着する。このＦＰＣ挿入の際には、絶縁ハウジング２１内の天井面とコンタクト２２、４２の雌接触部２２ａ、４２ａとの間にＦＰＣ１を挿通させるのに充分な間隙があり、ＦＰＣ１は上記雌接触部２２ａ、４２ａから接触圧を受けずに挿入することができる。
【００３７】
ＦＰＣ挿入後に、絶縁カバー２３を絶縁ハウジング２１内に装着すると、ＦＰＣ１の背面が絶縁カバー２３により押圧され、雌接触部２２ａ、４２ａが、図３中破線で示すようにＦＰＣ１から一旦離れる方向に弾性変形した後、ＦＰＣ１に弾性接触することにより、この雌接触部２２ａ、４２ａ（コンタクト２２、４２）を介してＦＰＣ１の各ランド部１２ａ１、１２ａ２とプリント配線基板３の回路パターンとの電気的な接続が行われる。
【００３８】
図４及び図５は、上述ＦＰＣコネクタ２の全体構成を一部切断して示す平面図及び正面図（ＦＰＣ挿入口２１ａ側から示す図）で、ここではプリント配線基板３上に実装する前（本発明ＦＰＣ１を装着する前）の部品単体としてのＦＰＣコネクタ２を、図３と同一部分には同一符号を付して示している。
【００３９】
図示ＦＰＣコネクタ２がプリント配線基板３（図３参照）上に実装された後、絶縁カバー２３を絶縁ハウジング２１から引き出し、その絶縁ハウジング２１のＦＰＣ挿入口２１ａにＦＰＣ１を先端面側から挿入し、その挿入状態で絶縁カバー２３を絶縁ハウジング２１内に装着することで、ＦＰＣ１の接続が完了する。
【００４０】
ＦＰＣコネクタ２は、リードパターン１２を２０極（２０本配列）以上備えた多極構成の本発明ＦＰＣ１に使用されるもので、そのリードパターン１２と同数のコンタクト２２、４２を、図４、図５に示すように、長手方向に沿って等間隔で２列にして取り付けている。
【００４１】
この場合、上述したように本発明ＦＰＣ１では、前側ランド部１２ａ１側のリードパターン１２と、後側ランド部１２ａ２側のリードパターン１２とは、フィルムベース１１の表裏に配列されているので、図１０に示す従来ＦＰＣとの比較で、同一リードパターン数であれば１／２程度の幅寸法ですむ。
【００４２】
したがって、それが装着されるＦＰＣコネクタ２も、図１０に示す従来ＦＰＣに用いられるＦＰＣコネクタとの比較で、同一コンタクト数であれば、その長手方向の幅が、ほぼ１／２程度の寸法となる。
【００４３】
このため、コネクタ２は幅方向に反りや構造のばらつきが生じにくくなって各リードパターン１２に対して均一の接触圧を与えることができ、接触不良は生じなくなる。また、コネクタ２は小型化し、プリント配線基板３の実装面積も小さくなる。
【００４４】
次に、図６乃至図９を参照して本発明に係るＦＰＣ１を用いたコネクタ相互の接続構造について説明する。
【００４５】
図６、図７及び図８、図９は、いずれも本発明ＦＰＣ１においては一対のコネクタ相互間の接続導体として本発明ＦＰＣ１を使用する場合に、１種類のＦＰＣコネクタ２１１又は２１２を用意するだけでよい実施の形態を示すものである。
【００４６】
図６、図７に示す実施の形態において、コネクタ２１１は、図３中のコネクタ２と同じ構成のものである。ここでは、ＦＰＣ１の表面がプリント配線基板３側の面となる裏返しとした状態でコネクタ２１１に装着されている。
【００４７】
そして図６の例では、ＦＰＣ１の前側ランド部１２ａ１側のリードパターン１２を介してコネクタ２１１（コンタクト２２）とコネクタ２２１（コンタクト１３１）とが接続され、また、図７の例ではＦＰＣ１の後側ランド部１２ａ２側のリードパターン１２を介してコネクタ２１１（コンタクト４２）とコネクタ２２２（コンタクト１３２）とが接続される。
【００４８】
このように、相手側コネクタ２２１、２２２の位置、コンタクト１３１、１３２の向き等によって、ＦＰＣ１の表裏いずれを接続導体として用いる場合であっても、１種類のＦＰＣコネクタ２１１のみでコネクタ相互間の接続が可能となる。
【００４９】
図８、図９に示す他の実施の形態においては、共通のＦＰＣコネクタとしてコネクタ２１２を用いる。コネクタ２１２は、図示するように、プリント配線基板３上に実装される絶縁ハウジング２１と、この絶縁ハウジング２１内に位置決め固定されたコンタクト４２と、上記絶縁ハウジング２１に対して着脱自在に取り付けられる絶縁カバー２３の他、ＦＰＣ装着位置切替用のストッパねじ８１を備えている。
【００５０】
この場合、ストッパねじ８１は、絶縁ハウジング２１内のＦＰＣ差込み経路途中の所定位置に先端部が進退自在となるように設けられている。
【００５１】
図６、図７の例と同様、ここでも本発明ＦＰＣ１は、表面がプリント配線基板３側となる裏返しにした状態で、コネクタ２１１に装着される。
【００５２】
図８の例では、ストッパねじ８１は締め付けられて絶縁ハウジング２１内のＦＰＣ差込み通路途中位置に先端部が進入し、本発明ＦＰＣ１は図示途中位置で位置決めされる。この位置では、コンタクト４２はＦＰＣ１の前側ランド部１２ａ１に接しており、したがって、前側ランド部１２ａ１側のリードパターン１２を介してコネクタ２１２（コンタクト４２）とコネクタ２２１（コンタクト１３１）とが接続される。
【００５３】
また図９の例では、ストッパねじ８１は緩められて絶縁ハウジング２１内のＦＰＣ差込み通路途中位置から先端部が上昇（後退）しており、本発明ＦＰＣ１は図示完全差込み位置で位置決めされる。この位置では、コンタクト４２はＦＰＣ１の後側ランド部１２ａ２に接しており、したがって、後側ランド部１２ａ２側のリードパターン１２を介してコネクタ２１２（コンタクト４２）とコネクタ２２２（コンタクト１３２）とが接続される。
【００５４】
この図８、図９に示す実施の形態においても、図６、図７の実施の形態と同様に、１種類のＦＰＣコネクタ２１２のみでコネクタ相互間の接続が可能となるが、この実施の形態では、更に、ＦＰＣコネクタ２１２に１種類のコンタクト４２のみを備えるだけなので、ＦＰＣコネクタ２１２の部品点数が減少し、また、絶縁ハウジング２１を小型化できる。
【００５５】
本発明に係るＦＰＣ１は、全てのリードパターン１２のランド部１２ａ１、１２ａ２は、ＦＰＣ１の先端面側の表面側に形成されているが、それらランド部１２ａ１、１２ａ２に導通するリードパターン本体１２ｂはＦＰＣ１の後端面側においてＦＰＣ１の表裏いずれの面にも延出してきている。
【００５６】
このことは、本発明ＦＰＣ１の先端面側が装着されるコネクタ（コンタクト）が同一構成であっても、前側ランド部１２ａ１をもつリードパターン１２か、後側ランド部１２ａ２をもつリードパターン１２のいずれかにより、ＦＰＣ１の後端面側に装着されるコネクタ（コンタクト）との接続を可能とするものであり、１種類のコネクタ２１１、２１２で、他方側のコネクタ２２１、２２２が、表裏いずれに接続していても、ＦＰＣ１を介して相互接続が可能となるものである。
【００５７】
上記実施の形態において、前側ランド部１２ａ１と、後側ランド部１２ａ２は、前後方向にずらした位置にそれぞれ形成されているが、前側ランド部群と、後側ランド部群は、互いに千鳥状に配列されているものであってもよい。
【００５８】
【発明の効果】
以上説明したように請求項１の発明によれば、第２コネクタ２２１、２２２の位置、コンタクト１３１、１３２の向き等によって、フレキシブル配線基板１の表裏いずれをリードパターン本体として用いる場合であっても、１種類の第１コネクタ２１１のみでコネクタ相互間の接続が可能となる。
【００５９】
【００６０】
【００６１】
【００６２】
また、請求項２の発明によれば、上述構成のフレキシブル配線基板を一対のコネクタ相互間の接続導体として使用したので、表裏いずれのリードパターンに、相手側コネクタが接続していても、同一のコネクタで接続が可能となり、少なくとも一方のＦＰＣコネクタにつき、１種類のコネクタを用意するだけで接続できるという効果がある。
【図面の簡単な説明】
【図１】  本発明によるフレキシブル配線基板１の一実施形態を一部省略して示す平面図である。
【図２】  図１中のＡ−Ａ線拡大断面図である。
【図３】  図１に示す本発明ＦＰＣが装着されるＦＰＣ接続用コネクタ２の断面図である。
【図４】  図３に示すＦＰＣコネクタ２の全体構成を一部切断して示す平面図である。
【図５】  同ＦＰＣコネクタ２の正面図である。
【図６】  共通のＦＰＣコネクタ２１１を用いて、一対のコネクタ相互間を接続する状態を示す断面図である。
【図７】  共通のＦＰＣコネクタ２１１を用いて、一対のコネクタ相互間を接続する他の接続状態を示す断面図である。
【図８】  共通のＦＰＣコネクタ２１２を用いて、一対のコネクタ相互間を接続する状態を示す断面図である。
【図９】  共通のＦＰＣコネクタ２１２を用いて、一対のコネクタ相互間を接続する他の接続状態を示す断面図である。
【図１０】  従来のフレキシブル配線基板１００を一部省略して示す平面図である。
【図１１】  図１０に示す従来のフレキシブル配線基板１００が装着されるＦＰＣ接続用コネクタ１０２の断面図である。
【図１２】  狭ピッチ化が図られた従来のフレキシブル配線基板１１０を一部省略して示す平面図である。
【図１３】  一対のコネクタ相互間の接続導体として図１０に示す従来のフレキシブル配線基板１００を使用した場合のコネクタ相互接続構造を示す断面図である。
【図１４】  同じく従来のフレキシブル配線基板１００を使用した場合のコネクタ相互接続構造を示す断面図である。
【符号の説明】
１  フレキシブル配線基板（ＦＰＣ）
２        ＦＰＣ接続用コネクタ（ＦＰＣコネクタ）
１１  可撓性の絶縁フィルムベース
１２  リードパターン
１２ａ  ランド部
１２ａ１  前側ランド部
１２ａ２  後側ランド部
１２ｂ    リードパターン本体
【図１】
0004387528.tif 000002
【図２】
0004387528.tif 000003
【図３】
0004387528.tif 000004
【図４】
0004387528.tif 000005
【図５】
0004387528.tif 000006
【図６】
0004387528.tif 000007
【図７】
0004387528.tif 000008
【図８】
0004387528.tif 000009
【図９】
0004387528.tif 000010
【図１０】
0004387528.tif 000011
【図１１】
0004387528.tif 000012
【図１２】
0004387528.tif 000013
【図１３】
0004387528.tif 000014
【図１４】
0004387528.tif 000015